(57)【要約】      （修正有）【課題】ユーザが顕微鏡本体のメーカとは異なる外部メーカ製のＯＰ装置を使用する際の操作性のよい顕微鏡装置を提供すること。【解決手段】顕微鏡１に取り付けられる複数の顕微鏡用オプション装置の動作を前記複数の顕微鏡用オプション装置毎に制御する制御信号を生成する信号生成手段２０と、前記制御信号を前記顕微鏡用オプション装置へ出力する出力手段３と、前記顕微鏡用オプション装置の動作を制御する予め定められた複数の制御信号のうち、顕微鏡に搭載されている前記顕微鏡用オプション装置の動作を制御する前記制御信号を選択する選択手段４と、前記信号生成手段に対して前記選択手段で選択された前記制御信号の出力開始を指示する指示手段２とを有することを特徴とする顕微鏡装置１。【選択図】図１
2010276864.tif 000002
【特許請求の範囲】
【請求項１】
顕微鏡に取り付けられる複数の顕微鏡用オプション装置の動作を前記複数の顕微鏡用オプション装置毎に制御する制御信号を生成する信号生成手段と、
前記制御信号を前記顕微鏡用オプション装置へ出力する出力手段と、
前記顕微鏡用オプション装置の動作を制御する予め定められた複数の制御信号のうち、顕微鏡に搭載されている前記顕微鏡用オプション装置の動作を制御する前記制御信号を選択する選択手段と、
前記信号生成手段に対して前記選択手段で選択された前記制御信号の出力開始を指示する指示手段とを有することを特徴とする顕微鏡装置。
【請求項２】
前記指示手段は、前記顕微鏡に配設されていることを特徴とする請求項１に記載の顕微鏡装置。
【請求項３】
前記信号生成部、前記出力手段、および前記選択手段は、前記顕微鏡に内蔵されていることを特徴とする請求項１または２に記載の顕微鏡。
【請求項４】
前記選択手段は、ロータリースイッチ、またはディップスイッチからなることを特徴とする請求項１から３のいずれか１項に記載の顕微鏡装置。
【請求項５】
前記信号生成手段は、基準クロック信号発生手段を含むことを特徴とする請求項１から４のいずれか１項に記載の顕微鏡装置。
【請求項６】
顕微鏡に取り付けられる複数の顕微鏡用オプション装置の動作を前記複数の顕微鏡用オプション装置毎に制御する制御信号を生成する信号生成手段と、
前記制御信号を前記顕微鏡用オプション装置へ出力する出力手段と、
前記顕微鏡用オプション装置の動作を制御する予め定められた複数の制御信号のうち、顕微鏡に搭載されている前記顕微鏡用オプション装置の動作を制御する前記制御信号を選択する選択手段と、
前記信号生成手段に対して前記選択手段で選択された前記制御信号の出力開始を指示する指示手段とを有することを特徴とするコントローラ。
【発明の詳細な説明】
【技術分野】
【０００１】
本発明は、顕微鏡本体のメーカとは異なる外部メーカが提供する顕微鏡用オプション装置が搭載可能でそのオプション装置の動作制御可能な手段を有する顕微鏡装置と、顕微鏡用オプション装置のコントローラに関する。
【背景技術】
【０００２】
従来、顕微鏡には電動で動作を制御できる種々の顕微鏡用オプション装置（以後、本明細書中ではＯＰ装置と略記する）が準備されている。ＯＰ装置として顕微鏡本体のメーカとは異なる外部メーカが顕微鏡メーカの顕微鏡に使用できるように独自に製造している場合がある。外部メーカ製のＯＰ装置では、外部メーカがＯＰ装置に専用のコントローラを付属させる、あるいはＯＰ装置にスイッチ等を設けて動作制御できるようにしている。そして、このような外部メーカ製のＯＰ装置の制御信号はそれぞれ異なっている（例えば、特許技術文献１参照）。
【先行技術文献】
【特許文献】
【０００３】
【特許文献１】特開２０００−５６２２９号公報
【発明の概要】
【発明が解決しようとする課題】
【０００４】
ユーザが顕微鏡本体のメーカとは異なる外部メーカ製のＯＰ装置を顕微鏡に搭載して使用する場合、顕微鏡に搭載したＯＰ装置に応じた制御信号を出力する制御部がＯＰ装置毎に必要であり、ＯＰ装置を使用する際の操作性が悪いと言う課題がある。
【課題を解決するための手段】
【０００５】
上記課題を解決するため、本発明は、顕微鏡に取り付けられる複数の顕微鏡用オプション装置の動作を前記複数の顕微鏡用オプション装置毎に制御する制御信号を生成する信号生成手段と、前記制御信号を前記顕微鏡用オプション装置へ出力する出力手段と、前記顕微鏡用オプション装置の動作を制御する予め定められた複数の制御信号のうち、顕微鏡に搭載されている前記顕微鏡用オプション装置の動作を制御する前記制御信号を選択する選択手段と、前記信号生成手段に対して前記選択手段で選択された前記制御信号の出力開始を指示する指示手段とを有することを特徴とする顕微鏡装置を提供する。
【０００６】
また、本発明は、顕微鏡に取り付けられる複数の顕微鏡用オプション装置の動作を前記複数の顕微鏡用オプション装置毎に制御する制御信号を生成する信号生成手段と、前記制御信号を前記顕微鏡用オプション装置へ出力する出力手段と、前記顕微鏡用オプション装置の動作を制御する予め定められた複数の制御信号のうち、顕微鏡に搭載されている前記顕微鏡用オプション装置の動作を制御する前記制御信号を選択する選択手段と、前記信号生成手段に対して前記選択手段で選択された前記制御信号の出力開始を指示する指示手段とを有することを特徴とするコントローラを提供する。
【発明の効果】
【０００７】
本発明によれば、顕微鏡に搭載した顕微鏡本体のメーカとは異なる外部メーカ製のＯＰ装置に応じた制御信号を出力する制御部を有し、操作性の高い顕微鏡装置とコントローラを提供することができる。
【図面の簡単な説明】
【０００８】
【図１】第１実施形態にかかる顕微鏡装置を示し、（Ａ）は側面図を、（Ｂ）は顕微鏡装置のベース部の拡大図をそれぞれ示す。
【図２】第１実施形態の制御信号生成部のブロック図を示す。
【図３】第１実施形態にかかる顕微鏡装置の選択手段を示し、（Ａ）は選択手段であるロータリースイッチの外観図を、（Ｂ）はロータリースイッチの番号と出力信号内容の対応表をそれぞれ示す。
【図４】ロータリースイッチで選択された出力信号波形を示し、（Ａ）はＬＯＷからＨｉｇｈ出力、（Ｂ）はＨｉｇｈからＬＯＷ出力する場合をそれぞれ示す。
【図５】ロータリースイッチで選択された出力信号波形を示し、（Ａ）はボタンを押している間ＬＯＷ出力、（Ｂ）はボタンを押している間Ｈｉｇｈ出力する場合をそれぞれ示す。
【図６】ロータリースイッチで選択された出力信号波形を示し、（Ａ）はＬＯＷを所定時間出力する場合、（Ｂ）はＨｉｇｈ出力を所定時間出力する場合をそれぞれ示す。
【図７】第２実施形態にかかる顕微鏡装置の変形例を示し、（Ａ）は側面図を、（Ｂ）は顕微鏡装置のベース部の拡大図をそれぞれ示す。
【図８】第２実施形態のコントローラのブロック図を示す。
【発明を実施するための形態】
【０００９】
以下、本願の実施形態にかかる顕微鏡装置について図面を参照しつつ説明する。なお、以下の実施の形態は、発明の理解を容易にするためのものに過ぎず、本願発明の技術的思想を逸脱しない範囲において当業者により実施可能な付加・置換等を施すことを排除することは意図していない。
【００１０】
（第１実施形態）
図１、図２において、第１実施形態にかかる顕微鏡装置１には、顕微鏡装置のメーカとは異なる外部メーカ製の顕微鏡用オプション装置（ＯＰ装置）であるカメラ５が顕微鏡装置１に装着され、カメラ５を制御するカメラコントローラ６がカメラ５に接続されている。
【００１１】
なお、顕微鏡装置１のＯＰ装置はカメラ５に限らずレボルバ、フィルターターレット、照明装置など多様なＯＰ装置を装着することができる。
【００１２】
顕微鏡装置１のベース部１ａには、カメラコントローラ６に対して動作制御信号の出力を指示するボタン（スイッチ）２が観察者が標本を観察する時、手元近傍となるベース部１ａの右手側の側面で観察者に近い位置に配設されている。ユーザがボタン２を押すことで、後述する制御信号生成部２０へのトリガー信号となる。
【００１３】
なお、ボタン２の位置は、ベース部１ａの左手側の側面、あるいは観察者側の正面に配置しても良い。また、ボタン２は、ベース部１ａの左右両側面に配置しても良い。左右にボタン２を配置することで観察者の利き手に対応することができる。また、ボタン２はＯＮ／ＯＦＦスイッチであって、押すとＯＮ、離すとＯＦＦとなるスイッチが好ましい。
【００１４】
顕微鏡装置１には、図２に示す、制御信号生成部２０が内蔵されている。制御信号生成部２０は、基準クロック発生部１１とプログラム可能な半導体デバイス、例えば、ＰＬＤ（Ｐｒｏｇｒａｍｍａｂｌｅ  Ｌｏｇｉｃ  Ｄｅｖｉｃｅ）１０とから構成されている。なお、ＰＬＤ１０には、ＦＰＧＡ（Ｆｉｅｌｄ  Ｐｒｏｇｒａｍｍａｂｌｅ  Ｇａｔｅ  Ａｒｒａｙ）等のプログラム可能な他の半導体デバイスを使用することができる。
【００１５】
ベース部１ａの側面には、制御信号生成部２０で生成する信号を選択する選択手段であるロータリースイッチ４（図３（Ａ））参照）とロータリースイッチ４で選択した信号をカメラコントローラ６の外部制御信号入力端子６ａに出力する出力端子３が配置されている。出力端子３とカメラコントローラ６の外部制御信号入力端子６ａは所定の信号線で接続されている。
【００１６】
なお、選択手段には、ロータリースイッチ４以外にディップスイッチ等のアドレス番号の指定可能なスイッチを使用することができる。
【００１７】
ロータリースイッチ４の各アドレス番号（番号）とＰＬＤ１０から出力される制御信号内容は、図３（Ｂ）に示すように対応付けられており、ユーザはＯＰ装置の制御信号を予め把握しておき、取り付けられるＯＰ装置を制御するための信号を選択する。これらの信号内容は、ＰＬＤ１０にプログラムされ、ロータリースイッチ４で番号を指定し、ボタン２を操作することで、ＰＬＤ１０から所定の出力信号が出力端子３を介してカメラコントローラ６に出力される。以下、図３から図６を参照しつつ各出力信号内容について説明する。
【００１８】
（番号１）
ロータリースイッチ４の番号が１に設定された時は、ボタン２をＯＮ／ＯＦＦ操作しても制御信号生成部２０から出力端子３に信号が出力されない常時ＯＦＦ状態となる。
【００１９】
（番号２）
ロータリースイッチ４の番号が２に設定された時は、オルタネート信号がＰＬＤ１０から出力されるように設定される。ボタン２が押されるたびに、図４（Ａ）、（Ｂ）に示すような、ＬＯＷ信号からＨｉｇｈ信号となる信号出力と（図４（Ａ））、Ｈｉｇｈ信号からＬＯＷ信号となる信号出力（図４（Ｂ））が交互にＰＬＤ１０から出力端子３を介して出力される。これは、図４（Ａ）に示すように、ボタン２が一度押されてＬＯＷ信号からＨｉｇｈ信号となる信号が出力されてＨｉｇｈ信号状態が維持され、二度目にボタン２が押されたときにＨｉｇｈ信号からＬＯＷ信号に戻る。または、図４（Ｂ）に示すように、ボタン２が一度押されてＨｉｇｈ信号からＬＯＷ信号となる信号が出力されてＬＯＷ信号状態が維持され、二度目にボタン２が押されたときにＬＯＷ信号からＨｉｇｈ信号に戻る。これらの信号は、ボタン２でＯＮ／ＯＦＦスイッチ動作を行わせていることに相当する。
【００２０】
この、番号２の信号（オルタネート信号）は、例えば、照明装置等に配設されたシャッタ装置におけるシャッタの閉（ＬＯＷ）／開（Ｈｉｇｈ）、または閉（Ｈｉｇｈ）／開（ＬＯＷ）の動作指示信号として使用される。あるいは、顕微鏡装置１に装着されたＯＰ装置を起動させるスイッチ動作信号として使用される。
【００２１】
（番号３、４）
ロータリースイッチ４の番号が３または４に設定された時は、モーメンタリー信号がＰＬＤ１０から出力されるように設定される。
【００２２】
番号３の時には、図５（Ａ）に示すように、ボタン２が押されている間ＬＯＷ信号がＰＬＤ１０から出力端子３を介して出力される。この場合、ボタン２が押されていない時には出力端子３からＨｉｇｈ信号が出力されており、ボタン２が押された間のみＬＯＷ信号に出力が変化する。
【００２３】
一方、番号４の時には、図５（Ｂ）に示すように、ボタン２が押されている間Ｈｉｇｈ信号がＰＬＤ１０から出力端子３を介して出力される。この場合、ボタン２が押されていない時には出力端子３からＬＯＷ信号が出力されており、ボタン２が押された間のみＨｉｇｈ信号に出力が変化する。
【００２４】
この、番号３、４の信号（モーメンタリー信号）は、ＬＯＷ信号の期間、またはＨｉｇｈ信号の期間で動作するＯＰ装置用の信号として使用される。例えば、カメラ５の撮影（露光）時間の制御信号（ボタン２が押されている間に露光する手動露光）として使用される。または、レボルバ、フィルターターレット等の回転装置の回転開始信号（ボタン２が押されている間連続回転）として使用される。または、顕微鏡装置１に装着されたＯＰ装置をボタン２が押されている間動作させるための信号として使用することができる。
【００２５】
（番号５〜１２）
ロータリースイッチ４の番号５〜１２は、図６（Ａ）、（Ｂ）に示すような、時間ｔが決められたパルス信号の出力がＰＬＤ１０から出力されるように設定される。番号５〜８はボタン２が押されたらＬＯＷレベルの異なる時間ｔのパルス信号をそれぞれ出力し、番号９〜１２はボタン２が押されたらＨｉｇｈレベルの異なる時間ｔのパルス信号をそれぞれ出力するようにＰＬＤ１０が設定される。
【００２６】
番号５はＬＯＷパルス信号の時間ｔが１０ｍｓｅｃ、番号６はＬＯＷパルス信号の時間ｔが１００ｍｓｅｃ、番号７はＬＯＷパルス信号の時間ｔが２５０ｍｓｅｃ、番号８はＬＯＷパルス信号の時間ｔが５００ｍｓｅｃ、とそれぞれ時間ｔがＰＬＤ１０にプログラムされている。
【００２７】
また、番号９はＨｉｇｈパルス信号の時間ｔが１０ｍｓｅｃ、番号１０はＨｉｇｈパルス信号の時間ｔが１００ｍｓｅｃ、番号１１はＨｉｇｈパルス信号の時間ｔが２５０ｍｓｅｃ、番号１２はＨｉｇｈパルス信号の時間ｔが５００ｍｓｅｃ、とそれぞれ時間ｔがＰＬＤ１０にプログラムされている。これら時間ｔは制御信号生成部２０内の基準クロック発生部１１からの信号に基づいてＰＬＤ１０でそれぞれ生成され出力される。
【００２８】
なお、パルス信号時間ｔの設定は、ＯＰ装置に必要な条件に合わせてＰＬＤ１０にプログラムすれば良い。
【００２９】
番号５〜１２で選択出力されるパルス信号は、パルス信号で動作するＯＰ装置の制御信号として使用される。例えば、カメラ５の露光時間信号、励起用光源装置におけるシャッタ装置の開閉信号、レボルバ等の回転開始信号／回転停止信号、あるいはＯＰ装置の電源ＯＮ、ＯＦＦ信号などに使用可能である。
【００３０】
なお、第１実施形態の説明では、ボタン２、ロータリースイッチ４、および出力端子３の１組をベース部１ａに配置した場合について説明したが、ボタン２、ロータリースイッチ４、および出力端子３を２組以上設けても良い。２組以上設け、ＰＬＤ１０に各組に対応した信号出力をプログラムすることで、レボルバやフィルターターレットなどの回転装置の正転／逆転の制御用信号や、複数のＯＰ装置の制御信号用として使用することが可能になる。
【００３１】
（第２実施形態）
次に第２実施形態にかかる顕微鏡装置の変形例について図７、図８に基づき説明する。
【００３２】
第２実施形態にかかる顕微鏡装置１０１は、第１実施形態の顕微鏡装置１に対して制御信号生成部２０が顕微鏡装置１０１の外部のコントローラ１２０に設けられている点が異なる。なお、第１実施形態と同様の構成には同じ符号を付し説明する。
【００３３】
図７、図８において、顕微鏡装置１０１には装着可能な外部メーカ製の顕微鏡用オプション装置（ＯＰ装置）であるカメラ５が装着され、カメラ５を制御するカメラコントローラ６がカメラ５に接続されている。
【００３４】
なお、顕微鏡装置１０１のＯＰ装置はカメラ５に限らずレボルバ、フィルターターレット、照明装置など多様なＯＰ装置を装着することができる。
【００３５】
顕微鏡装置１０１のベース部１ａには、カメラコントローラ６に対して動作制御信号の出力を指示するボタン（スイッチ）２が観察者が標本を観察する時、手元近傍となる位置に配設され、ボタン２からの信号は出力端子２ａを介して顕微鏡装置１０１の外部に設けられたコントローラ１２０の入力端子３ａに接続される。ボタン２は、ベース部１ａの右手側の側面で観察者に近い位置に配設されている。ユーザがボタン２を押すことで、後述する制御信号生成部２０へのトリガー信号となる。
【００３６】
なお、ボタン２の位置は、ベース部１ａの左手側の側面、あるいは観察者側の正面に配置しても良い。また、ボタン２は、ベース部１ａの左右両側面に配置しても良い。左右にボタン２を配置することで観察者の利き手に対応することができる。また、ボタン２はＯＮ／ＯＦＦスイッチであって、押すとＯＮ、離すとＯＦＦとなるスイッチが好ましい。
【００３７】
なお、コントローラ１２０に配設されている制御信号生成部２０は第１実施形態と同様であり詳細な説明を省略する。
【００３８】
コントローラ１２０には、ボタン２からの信号が入力される入力端子３ａと、制御信号生成部２０で生成する信号を選択する選択手段であるロータリースイッチ４と、ロータリースイッチ４で選択した信号をカメラコントローラ６の外部制御信号入力端子６ａに出力する出力端子３が配置されている。出力端子３とカメラコントローラ６の外部制御信号入力端子６ａは所定の信号線で接続されている。
【００３９】
なお、選択手段には、ロータリースイッチ４以外にディップスイッチ等のアドレス番号指定可能なスイッチを使用することができる。
【００４０】
ロータリースイッチ４の各アドレス番号（番号）とＰＬＤ１０から出力される制御信号内容とは図３（Ｂ）に示すように対応付けられている。これらの信号内容は、ＰＬＤ１０にプログラムされ、ロータリースイッチ４の番号を指定し、ボタン２を操作することで、ＰＬＤ１０から所定の出力信号が出力端子３を介してカメラコントローラ６に出力される。
【００４１】
なお、ボタン２の操作による制御信号生成部２０から出力される信号内容は、第１実施形態の図４〜図６と同様であり詳細な説明を省略する。また、ＰＬＤ１０も第１実施形態と同様であり詳細な説明は省略する。
【００４２】
以上述べたように、本実施形態にかかる顕微鏡装置は、顕微鏡装置に装着する外部メーカ製のオプション装置の駆動指示ボタン（スイッチ）を観察者の手元近傍であるベース部に配置し、駆動制御信号を制御信号生成部のＰＬＤにプログラムしておくことで、外部メーカ製の各種ＯＰ装置の動作を顕微鏡の観察中に接眼レンズから目を離すことなく行うことができる。
【００４３】
なお、上記実施形態では、ボタン２を顕微鏡装置のベース部に配置したが、ボタン２を、第２実施形態のコントローラ１２０に配置して、外部メーカ製のＯＰ装置用コントローラとしても良い。このＯＰ装置用コントローラを顕微鏡装置の手元近傍に設置して使用することで、外部メーカ製の各種ＯＰ装置の動作制御を顕微鏡装置の観察中に接眼レンズから目を離すことなく行うことができる。
【符号の説明】
【００４４】
１、１０１  顕微鏡装置
２    ボタン（スイッチ）
３    出力端子
４    ロータリースイッチ
５    カメラ（オプション装置）
６    カメラコントローラ
１０  ＰＬＤ
１１  基準クロック発生部
２０  制御信号生成部
１２０  コントローラ
【図１】
2010276864.tif 000003
【図２】
2010276864.tif 000004
【図３】
2010276864.tif 000005
【図４】
2010276864.tif 000006
【図５】
2010276864.tif 000007
【図６】
2010276864.tif 000008
【図７】
2010276864.tif 000009
【図８】
2010276864.tif 000010